(57)【要約】【課題】  止水高さを高くして防水扉の扉本体の質量が大きくなっても容易に手動で起倒操作でき、人が避難する際に支障のない安価な防水扉装置を提供する。【解決手段】  防水扉３に開口部１１を形成し、防水扉３の開口部１１の縁部分に開口枠１２を設け、防水扉３の開口部１１を水密に閉鎖可能な補助防水パネル１３を開口枠１２に着脱可能に設け、防水扉３の開口部１１を、防水扉３の基部３ａと反対側端の先端部３ｂから基部３ａに向けて略Ｕ字形状に開口させ、開口部１１の底辺３ｃの高さを人が跨ぐことが可能な高さにし、防水扉３の開口部１１の底辺３ｃに操作棒２４をを挿し込む操作孔２５を設けて、操作棒２４をより回動中心近くまで挿しこむことができるようにする。【選択図】  図６
2010053605.tif 000002
【特許請求の範囲】
【請求項１】
出入口の床面に設けられた収納凹部体に防水扉の基部を枢着し、その防水扉を収納凹部体の開口を塞ぐ倒伏位置から出入口を水密状態に塞ぐ起立位置に回動可能に支持し、起立位置にある防水扉によって出入口からの水の浸入を防止するようにした防水扉装置において、防水扉に開口部を形成し、防水扉の開口部の縁部分に開口枠を設け、防水扉の開口部を水密状態に閉鎖可能な補助防水パネルを前記縁部分の開口枠に着脱可能に設けたことを特徴とする防水扉装置。
【請求項２】
前記防水扉の開口部を、防水扉の基部と反対側端の先端部から防水扉の基部に向けて略Ｕ字形状に形成し、防水扉の起立位置における開口部の底辺高さを、人が跨ぐことが可能な高さにし、補助防水パネルを防水扉の開口部を塞ぐような大きさに形成したことを特徴とする請求項１記載の防水扉装置。
【請求項３】
前記防水扉の開口部の底辺に操作孔を設け、その操作孔に操作棒を挿しこんで、防水扉を倒伏位置から起立位置に回動するようにしたことを特徴とする請求項２記載の防水扉装置。
【発明の詳細な説明】
【技術分野】
【０００１】
本発明は、建物や駐車場などの出入口に設置される防水扉装置に関する。
【背景技術】
【０００２】
従来、出入口の床面に設けられた収納凹部体に防水扉の基部を枢着し、その防水扉を収納凹部体の開口を塞ぐ倒伏位置から出入口を水密状態に塞ぐ起立位置に回動させ、起立位置の防水扉によって水害時に出入口からの水の浸入を防止するようにした防水扉装置としては、特許文献１に記載のものが知られている。この防水扉装置は、手動で起倒操作できるよう起立補助装置としてガスダンパーやコイルバネを備えている。また、特許文献２には、防水扉の扉本体内に扉本体と略同一幅で上下にスライド可能なスライド扉が設けられたものが提案されている。
【特許文献１】特開２００６−８３５９５号公報
【特許文献２】特開２００５−１３９６８７号公報
【発明の開示】
【発明が解決しようとする課題】
【０００３】
近年、防水扉装置の設置場所において特に地下駐車場の出入口は、水害時の水位が高く想定され、より高い止水高さを持つ防水扉装置が要求される傾向にある。また、防水扉装置は水害時のみ使用するものなので、使用する機会があるかどうか分らない装置である為、できるかぎり低コストであることが要求される。
特許文献１記載の防水扉装置では、止水高さを高くすると防水扉の扉本体の質量が大きくなり、そのため、手動で起倒操作できる防水扉の大きさには限度があった。しかしながら、起立補助装置の追加や、起倒にモータなど動力使用するとコストアップになり好ましくない。また止水高さが高いもの、例えば起立時の高さが１ｍを超えるような防水扉では、人が非難する際に跨ぐことが困難となり、迅速に避難ができない問題があった。
特許文献２記載の防水扉装置は、防水扉の起倒時にスライド扉を扉本体内に収納した状態にして扉本体の重心位置を下げ、起倒操作の動力を削減するものである。そして、スライド扉を扉本体内に収納した状態より高い水位になると想定される場合は、スライド扉を上方に引き上げて上限位置で固定して止水高さを高くするようになっている。しかし、防水扉が起立位置にある時に、扉本体に収納したスライド扉を上方に引き上げるためには、スライド扉が水密ゴムに押付けられているので、防水扉を倒伏位置と起立位置の間に戻さなければならない。その時、すでに防水扉で止水を開始している状態にあると、防水扉を起立位置から戻した時に水密ゴムと防水扉の間から水が浸入してしまう問題がある。
そこで本発明の課題は、上記問題点に鑑み、止水高さを高くして防水扉の扉本体の質量が大きくなっても容易に手動で起倒操作でき、人が避難する際に支障のない安価な防水扉装置を提供することを目的とする。
【課題を解決するための手段】
【０００４】
本発明は、出入口の床面に設けられた収納凹部体に防水扉の基部を枢着し、その防水扉を収納凹部体の開口を塞ぐ倒伏位置から出入口を水密状態に塞ぐ起立位置に回動可能に支持し、起立位置にある防水扉によって出入口からの水の浸入を防止するようにした防水扉装置において、防水扉に開口部を形成し、防水扉の開口部の縁部分に開口枠を設け、防水扉の開口部を水密状態に閉鎖可能な補助防水パネルを前記縁部分の開口枠に着脱可能に設けたことを特徴とする。
【０００５】
また、前記防水扉の開口部を、防水扉の基部と反対側端の先端部から防水扉の基部に向けて略Ｕ字形状に形成し、防水扉の起立位置における開口部の底辺高さを、人が跨ぐことが可能な高さにし、補助防水パネルを防水扉の開口部を塞ぐような大きさに形成したことを特徴とする（請求項２）。
【０００６】
また、前記防水扉の開口部の底辺に操作孔を設け、その操作孔に操作棒を挿しこんで、防水扉を倒伏位置から起立位置に回動するようにしたことを特徴とする（請求項３）。
【発明の効果】
【０００７】
本願の請求項１の発明によれば、防水扉に開口部を形成し、防水扉の開口部の縁部分に開口枠を設け、防水扉の開口部を水密に閉鎖可能な補助防水パネルを前記縁部分の開口枠に着脱可能に設けたことにより、止水高さを高くして防水扉の扉本体の質量が大きくなっても、防水扉の重心を低く抑えることができ、手動で起倒操作できるので、起立補助装置の追加や、起倒にモータなどの動力を必要としないので防水扉装置を安価に製造できる。また、防水扉が起立位置にある状態で補助防水パネルを嵌め込むことができ、すでに防水扉で止水を開始している状態であっても、起立位置にある防水扉を動かす必要がないので水を浸入させることなく止水高さを高くすることができる。
本願の請求項２の発明によれば、前記防水扉の開口部を、防水扉の基部と反対側端の先端部から防水扉の基部に向けて略Ｕ字形状に形成し、防水扉の起立位置における開口部の底辺高さを人が跨ぐことが可能な高さにし、補助防水パネルを防水扉の開口部を塞ぐような大きさに形成したので、人が非難する際に容易に跨ぐことが可能となり、迅速に避難することができる。
本願の請求項３の発明によれば、前記防水扉の開口部の底辺に操作孔を設け、その操作孔に操作棒を挿しこんで、防水扉を倒伏位置から起立位置に回動するようにしたことと、収納凹部体にも略Ｕ字形状のスペース（足場）が確保でき、防水扉により接近できることにより起立操作時における作業姿勢が良くなり、防水扉を容易に起立させることができる。
【発明を実施するための最良の形態】
【０００８】
本願発明の実施の形態について、図面を参照して説明する。なお、当該形態は、下記の例に限定されない。  図１に示す防水扉装置１は、例えば特開２００６−８３５９５号公報に記載のように、建物や駐車場等の出入口の床面Ｆに埋設された収納凹部体２に、防水扉３の基部３ａを枢着し、その防水扉３を作業者による手動操作により、収納凹部体２の開口を閉塞する状態（倒伏位置）から前記出入口を閉塞する状態（起立位置）に回動可能に支持し、起立位置にある防水扉３によって出入口からの水の浸入を防止する。図１は、防水扉３が倒伏位置にある防水扉装置１を上方から示したもので、図２は、図１におけるＩＩ−ＩＩ断面を示し、図３は、図２における防水扉装置１の防水扉３が起立位置にある状態を示している。図４は、図３における防水扉装置１の防水扉３を前方から示したもので、以後、倒伏位置にある防水扉３の基部３ａ側を前方とし、先端部３ｂ側を後方として説明する。
【０００９】
収納凹部体２は、図２，３に示すように出入口に掘られた収納凹部４に埋設され、防水扉３の基部３ａを枢支して防水扉３を傾倒可能とするヒンジ装置５と、防水扉３を起立方向に付勢する起立補助装置６と、起立した防水扉３を収納凹部体２の前板２ａ側、即ち防水扉起立側の左右に立設された扉枠７に取付けられた垂直方向のシール部材８に押し付けた状態でロックするロック装置９とを備えている。起立補助装置６は、当該形態では、ガスダンパー６ａやコイルバネ６ｂである。収納凹部体２の前板２ａには水平方向にシール部材１０が取付けられ、その両端は、扉枠７の垂直方向のシール部材８下端部と連続して取り付けられている。収納凹部体２の開口形状は、収納する防水扉３の形状に合わせて板金成形されている。当該形態では、図４に示すように、略Ｕ字形状の開口部１１を持つ防水扉３が倒伏位置にある時、すきま無く収まって収納凹部体２の開口を塞ぐようになっている。
【００１０】
防水扉３には、開口部１１が、防水扉３の基部３ａと反対側端の先端部３ｂから防水扉３の基部３ａに向けて略Ｕ字形状に形成されている。開口部１１の縁部分には、パネル縦枠部１２ａとパネル横枠部１２ｂとから構成されている開口枠１２が設けられている。パネル縦枠部１２ａとパネル横枠部１２ｂには、図５に示す補助防水パネル１３の側辺部１３ａと下辺部１３ｂを夫々嵌め込み可能な溝部１４が形成されている。
【００１１】
補助防水パネル１３は、防水扉３の開口部１１全体を塞ぐ大きさに構成されている。補助防水パネル１３の上辺１３ｃには、補助防水パネル１３を手で持って運ぶときに掴めるように取手１５が固着されている。補助防水パネル１３の下辺部１３ｂと左右の側辺部１３ａには、シール部材１６が略Ｕ字形状に連続して設けられている。補助防水パネル１３の下辺部１３ｂと左右の側辺部１３ａには、補助防水パネル１３を防水扉３に固着させる手段として圧接ハンドル１７が複数取り付けられている。補助防水パネル１３は、水圧に耐えられる強度を有し、かつ人が手で扱えるように軽量化することが好ましい。当該形態では、アルミハニカムパネルを使用している。
【００１２】
防水扉装置１は、図６に示すように起立時の防水扉３の開口部１１の底辺３ｃを止水高さとする第１止水高さと、防水扉３の開口枠１２に補助防水パネル１３を嵌め込み、圧接ハンドル１７を操作して防水扉３と補助防水パネル１３との水密状態を作り、補助防水パネル１３上辺１３ｃを止水高さとする第２止水高さを持っている。開口部１１の底辺３ｃの高さは、人が跨ぐことが可能な高さにしてある。
【００１３】
ヒンジ装置５について説明する。収納凹部体２の底板２ｂには、前板２ａ側の左、右に夫々固定ベース１８が固定的に配置されている。各固定ベース１８には、当接部材１９ａで連結された左右一対の可動ベース１９一端が支持軸２０により揺動可能に軸支されている。その可動ベース１９の中間部（支持軸２０より後側位置）には、リンク動作固定部２１ａを備えた第１リンク２１の下端部が回動自在にピン連結されている。可動ベース１９の後端には第１リンク２１の長さより長く設定してある第２リンク２２の下端部が回動自在にピン連結されている。防水扉３に一体固着する扉取付部材２３に、第１、第２リンクの他端部が枢着されている。この４節リンク構造のヒンジを防水扉３の基部３ａに連結したことで、防水扉３の先端部３ｂを起立方向へ揺動させると、第１、第２リンクのリンク動作によって防水扉３の基部３ａが扉枠７から離れるように後退する。そして、第１リンク２１のリンク動作固定部２１ａが可動ベース１９を連結する当接部材１９ａに当接すると、第１、第２リンクのリンク動作が固定され、扉枠７から離れるように後退していた防水扉３の基部３ａの動作が停止する。これ以降は、第１、第２リンクと共に可動ベース１９が扉枠７に向けて揺動することで、防水扉３の基部３ａが扉枠７に向けて回動されるようになっている。
【００１４】
次に防水扉装置１の操作方法について説明する。大雨洪水警報等が発令され、水害の発生によって出入口から水が浸入してくることが予想され、出入口を防水扉装置１で遮断する場合には、図８に示す操作棒２４を防水扉３の開口部１１の底辺３ｃに設けられた操作孔２５に挿しこんで、操作棒２４を使って防水扉３を倒伏位置から起立位置に回動させた後、操作棒２４を取り外す。そして、起立位置にある防水扉３をロック装置９により扉枠７に押し付ける。通常、大雨洪水警報等が発令された直後、直ちに水が迫ってくることは考えられない。また、この時点では、防水扉装置１の第１止水高さを超える水位になるかどうかは判断できない。よって、防水扉３を起立位置にしてからしばらくは、開口枠１２に補助防水パネル１３を嵌め込まず、人が防水扉３の開口部１１の底辺３ｃを跨いで出入口から出入りできる状態にして、この間に建物内外に避難させることができる（図４の状態）。
【００１５】
水害が発生し防水扉装置１による止水が始まって、第１止水高さを超える水位になると判断される場合は、防水扉装置１の管理者が防水扉３の開口枠１２に補助防水パネル１３を嵌め込み圧接ハンドル１７を操作して防水扉３と補助防水パネル１３との水密状態を作り第２止水高さとした後避難する（図６の状態）。防水扉３と補助防水パネル１３との水密状態は、図７に示すように、補助防水パネル１３に固着されたシール部材１６が圧接ハンドル１７によって開口枠１２の溝部１４の内側１３ｄに押圧されて作られる。
【００１６】
大雨洪水警報等が解除され、第１止水高さより水位が下がったら、補助防水パネル１３を防水扉３の開口枠１２から取り外すことが可能となる。これにより、防水扉３が起立位置にある状態であっても、人が防水扉３の開口部１１の底辺３ｃを跨いで出入口を出入りすることができる。
【００１７】
上記のように、防水扉３に開口部１１を形成し、防水扉３の開口部１１の縁部分に開口枠１２を設け、防水扉３の開口部１１を水密に閉鎖可能な補助防水パネル１３を開口枠１２に着脱可能に設けたことにより、止水高さを高くして防水扉３の扉本体の質量が大きくなっても手動で起倒操作できるので、起立補助装置６の追加や、起倒にモータなどの動力を必要としないので防水扉装置１を安価に製造できる。また、防水扉３が起立位置にある状態で補助防水パネル１３を嵌め込むことができ、すでに防水扉３で止水を開始している状態であっても、起立位置にある防水扉３を動かす必要がないので水を浸入させることなく止水高さを高くすることができる。
【００１８】
また、防水扉３の開口部１１を、防水扉３の基部３ａと反対側端の先端部３ｂから基部３ａに向けて略Ｕ字形状に開口させ、防水扉３の開口部１１の底辺３ｃに操作孔２５を設けたことにより、操作棒をより回動中心近くまで挿しこむことができるので、少ない操作力で起立させることができる。また、収納凹部体２にも略Ｕ字形状のスペース（足場）Ｓが確保でき、手動で起倒操作する際に防水扉３に、より接近できるので作業姿勢が良くなり、防水扉３を容易に起立させることができる。
【００１９】
尚、本実施形態では、１枚の防水扉３で構成されているが、複数の防水扉３を隣接させ、隣接部に防水扉の起立と連動する連装止水機構を備えて連装式の防水扉装置にしてもよい。
【図面の簡単な説明】
【００２０】
【図１】本発明の防水扉装置１を上方から見た正面図である。
【図２】図１のＩＩ−ＩＩ断面図である。
【図３】図２の防水扉３が起立位置にある状態を示す断面図である。
【図４】起立位置にある防水扉３の正面図である。
【図５】補助防水パネル１３の正面図である。
【図６】防水扉３に補助防水パネル１３を取付けた状態を示す正面図である。
【図７】図６のＶＩＩ−ＶＩＩ断面図である。
【図８】操作棒２４の使用方法を示す断面図である。
【符号の説明】
【００２１】
１          防水扉装置
２          収納凹部体
３          防水扉
３ａ        基部
３ｂ        先端部
３ｃ        底辺
１１        開口部
１２        開口枠
１３        補助防水パネル
２４        操作棒
２５        操作孔
Ｆ          床面
Ｓ          足場
【図１】
2010053605.tif 000003
【図２】
2010053605.tif 000004
【図３】
2010053605.tif 000005
【図４】
2010053605.tif 000006
【図５】
2010053605.tif 000007
【図６】
2010053605.tif 000008
【図７】
2010053605.tif 000009
【図８】
2010053605.tif 000010